(57)【要約】      （修正有）【課題】屋外の木製デッキ及び濡れ縁の床板材を根太や大引きなどの下地材に金属釘や金属ビスの代わりに固定する為の木材等を材料とする釘。【解決手段】屋外の木製デッキ及び濡れ縁の床板材を根太や大引き３の下地材に金属の釘やビスに代わり固定する木材、樹脂又は木質材を材料とする釘で、ほぞを加工した円錐形の本体（木製デッキ釘）１とクサビからなる構造で、耐水糊と上部からの打撃によりほぞ穴にクサビがめり込むことによりほぞが開き横方向に膨張し、木製デッキ等の床板材が金属の釘やビスのように下地材に緊結される。【選択図】図１
0003224409.tif 000002
【実用新案登録請求の範囲】
【請求項１】
屋外の木製デッキ及び濡れ縁の床板材を根太や大引きの下地材に金属の釘やビスに代わり固定する木材等（木材、樹脂及び木質材を含む。）を材料とする釘の形状と施工方法で、ほぞを加工した円錐形の本体（木製デッキ釘）とクサビからなる構造で、耐水糊と上部からの打撃によりほぞ穴にクサビがめり込むことによりほぞが開き横方向に膨張し、木製デッキ等の床板材が金属の釘やビスのように下地材に緊結されることを特徴とする木材等で作られた釘の形状と施工方法。
【請求項２】
請求項１記載の木材等（木材、樹脂及び木質材を含む。）の釘の形状のほか、ほぞとクサビを有せず円錐形の側面にくさび状や凸凹状の滑り止めを有する形状とし、耐水糊と上部からの打撃により滑り止めが根太や大引きの下地材にくい込み、木製デッキ等の床板材が金属の釘やビスのように下地材に緊結されることを特徴とする木材等で作られた簡易な釘の形状と施工方法。
【考案の詳細な説明】
【技術分野】
【０００１】
本考案は、屋外の木製デッキ及び濡れ縁の床板材を根太や大引きなどの下地材に金属釘や金属ビスの代わりに固定する為の木材等（木材、樹脂及び木質材を含む。）を材料とする釘の形状と施工方法。
【背景技術】
【０００２】
昔から日本の建築には板や竹などの濡れ縁が隠し釘等にて施工されていた。現在は欧米文化が取り入れられ住宅や店舗、公共建築の屋外の床が木製で作られるようになった。土足や上履きで歩行できるその床のことを木製デッキと言う。そのほとんどの床材は金属の釘やビスにて上面から根太や大引きに固定されている。最近では専用金物にて側面や裏面より固定する方法も考案されている。
【先行技術文献】
【特許文献】
【０００３】
【特許文献１】特許第４４６５２１４号広報
【特許文献２】実開昭６０−１０５７４２号広報
【特許文献３】実開昭５９−１５５１０３号広報
【考案の概要】
【考案が解決しようとする課題】
【０００４】
木製デッキが古くから普及している欧米とは気候（高温多湿）の違う日本では木材の腐朽が大きな課題で、特に屋根のない所ではでは顕著である。従来の施工方法は図２のように４のデッキ用金属釘により２の木製デッキ材を３の根太や大引きの下地材に固定する。または図３のように５のデッキ用金属ビスにて２の木製デッキ材を３の根太や大引きの下地材に固定する工法が一般的である。しかしながら金属釘やビスによる固定方法では図４の６のように金属が露を呼び結露を起し、７のように周囲のデッキ材を腐食させる原因になり、腐食が進行し金属釘やビスの周りから水が浸入し木製デッキ床材や下地材の根太、大引き材まで腐食させ全体の腐朽につながり耐久力を大幅に減少させる。
【課題を解決するための手段】
【０００５】
前記のように屋外で金属を露出させると日本の気候では露を呼び結露を起し木製のデッキ材を腐食させる。そこで結露しにくい図１の１本体のような円錐形をし古くから普及している地獄ほぞと耐水糊を併用した木製デッキ釘を考案した。むろん木製デッキ釘に使用する材料は木材等（木材、樹脂及び木質材を含む。）とし強度や耐久力の強い材料を防腐処理等を行なった材料とする。
【考案の効果】
【０００６】
最近の木製デッキの材料は防腐処理の技術が進歩し、考案した露や結露を起こしにくい木製のデッキ釘を使用した場合には木製デッキの耐久力が格段に長くなる。
【図面の簡単な説明】
【０００７】
【図１】本体（木製デッキ釘）を使用した木製デッキの断面図
【図２】デッキ用金属釘を使用した木製デッキの断面図
【図３】デッキ用金属ビスを使用した木製デッキの断面図
【図４】デッキ用金属釘を使用し結露によりデッキ材が腐食している断面図
【図５】地獄ほぞタイプの木製デッキ釘の形状図
【図６】十字ほぞ+円錐形ほぞタイプの木製デッキ釘の形状図
【図７】考案を実施するための形態図（下穴開け）
【図８】考案を実施するための形態図（挿入前）
【図９】考案を実施するための形態図（挿入時）
【図１０】考案を実施するための形態図（打ち込み固定）
【図１１】クサビ状と凸凹状の木製デッキ釘の形状図
【考案を実施するための形態】
【０００８】
図７の３の大引き等の下地材に2のデッキ床材を設置し、８のテーパードリルでデッキ釘を挿入する９のテーパー削孔の下穴を開ける。
【０００９】
図８の１の本体（木製デッキ釘）の１０の地獄ほぞ溝に11の地獄ほぞクサビを差し込んでセットする。
【００１０】
図８の１の本体（木製デッキ釘）ようにセットされたものを、図９のように本体に耐水糊を付着させ図７の９テーパー削孔に挿入する。
【００１１】
9図で挿入した１の本体（木製デッキ釘）を図１０のように１２木槌又はプラスチックハンマーで所定の位置まで打ち込む。付着させた耐水糊と図５の地獄ほぞ溝に１１の地獄ほぞクサビがめり込み１の本体（木製デッキ釘）が横方向に膨張し２の木製デッキ材が３の大引き材に緊結される。
【００１２】
図１１の１３の本体（くさび状）は円錐状のデッキ釘の表面にクサビ状の加工を施し耐水糊だけで地獄ほぞ等を省略した簡易なデッキ釘である。１４の本体（凸凹状）も円錐状のデッキ釘の表面に凸凹状の加工を施し耐水糊だけで地獄ほぞ等を省略した簡易なデッキ釘である。
【産業上の利用可能性】
【００１３】
１の本体（木製デッキ釘）の形状（長さや太さ）を変えることにより、木造建築の破風や鼻隠し等の屋根周りや板張りの外壁など、外部に木材を使用する箇所に広く転用することができる。
【符号の説明】
【００１４】
１  本体（木製デッキ釘）
２  木製デッキ材（デッキ床材）
３  根太、大引き（デッキ下地材）
４  デッキ用金属釘
５  デッキ用金属ビス
６  金属釘に結露した状況
７  デッキ材の腐食の状況
８  テーパー削孔ドリル
９  テーパー削孔
１０  地獄ほぞ溝
１１  地獄ほぞクサビ
１２  耐水糊を付着
１３  木槌又はプラスチックハンマー
１４  十字ほぞ溝
１５  円錐型ほぞ穴
１６  円錐型くさび
１７  本体（くさび状）
１８  本体（凸凹状）
【図１】
0003224409.tif 000003
【図２】
0003224409.tif 000004
【図３】
0003224409.tif 000005
【図４】
0003224409.tif 000006
【図５】
0003224409.tif 000007
【図６】
0003224409.tif 000008
【図７】
0003224409.tif 000009
【図８】
0003224409.tif 000010
【図９】
0003224409.tif 000011
【図１０】
0003224409.tif 000012
【図１１】
0003224409.tif 000013
【手続補正書】
【提出日】令和1年10月16日(2019.10.16)
【手続補正１】
【補正対象書類名】実用新案登録請求の範囲
【補正対象項目名】全文
【補正方法】変更
【補正の内容】
【実用新案登録請求の範囲】
【請求項１】
屋外の木製デッキ及び濡れ縁の床板材を根太や大引きの下地材に金属の釘やビスに代わり固定する木材、樹脂又は木質材を材料とする釘で、ほぞを加工した円錐形の本体（木製デッキ釘）とクサビからなる構造で、耐水糊と上部からの打撃によりほぞ穴にクサビがめり込むことによりほぞが開き横方向に膨張し、木製デッキ等の床板材が金属の釘やビスのように下地材に緊結されることを特徴とする釘。
【請求項２】
請求項１記載の木材、樹脂又は木質材を材料とする釘の形状で、ほぞとクサビを有せず円錐形の側面にくさび状や凸凹状の滑り止めを有する形状とし、耐水糊と上部からの打撃により滑り止めが根太や大引きの下地材にくい込み、木製デッキ等の床板材が金属の釘やビスのように下地材に緊結されることを特徴とする釘。